(57)【要約】【課題】エアベルトから乗員へ掛かる負荷を展開により緩和しながら、展開時の拘束位置を安定させやすいエアベルトを提供する。【解決手段】エアベルト１は、長手方向に交互配置の２層袋織部Ａと３層袋織部Ｘ１、Ｘ２からなる袋織部１０を備える。２層袋織部Ａは、気密な表層６０、裏層７０を有し、第１の３層袋織部Ｘ１は、２層袋織部と共通な表層、裏層と、一端Ｙ１Ｌが表層から、他端Ｙ１Ｒが裏層から織り出された経糸Ｆ１のみからなる非織層Ｙ１であり、一端側と他端側の２層袋織部間の気体流通を可能とする。第２の３層袋織部Ｘ２は、２層袋織部と共通な表層、裏層と、他端が表層から、一端が裏層から織り出された経糸Ｆ２のみからなる非織層Ｙ２であり、一端側と他端側の２層袋織部間の気体流通を可能とする。第１の３層袋織部Ｘ１と第２の３層袋織部Ｘ２は、２層袋織部Ａを介して、交互に配置される。【選択図】図１
2018177038.tif 000002
【特許請求の範囲】
【請求項１】
気体導入により膨張可能な袋織部を備えたエアベルトであって、
前記袋織部は、２層袋織部と３層袋織部とが長手方向に交互に配置して構成され、
前記２層袋織部は、実質的に気密な表層と、実質的に気密な裏層と、を有し、
前記３層袋織部のうちの第１の３層袋織部は、前記２層袋織部と共通な前記表層と、前記２層袋織部と共通な前記裏層と、前記表層及び前記裏層の間に配置され、長手方向の一端が前記表層から織り出され、長手方向の他端が前記裏層から織り出された、経糸又は緯糸の一方のみからなる非織層であるとともに、前記一端側に位置する２層袋織部と、前記他端側に位置する２層袋織部との間の気体流通を可能としており、
前記３層袋織部のうちの第２の３層袋織部は、前記２層袋織部と共通な前記表層と、前記２層袋織部と共通な前記裏層と、前記表層及び前記裏層の間に配置され、長手方向の他端が前記表層から織り出され、長手方向の一端が前記裏層から織り出された、経糸又は緯糸の一方のみからなる非織層であるとともに、前記一端側に位置する２層袋織部と、前記他端側に位置する２層袋織部との間の気体流通を可能としており、
前記第１の３層袋織部と前記第２の３層袋織部とは、前記２層袋織部を介して、交互に配置されていることを特徴とするエアベルト。
【請求項２】
前記第１の３層袋織部の前記非織層の構成糸が経糸である場合に、該経糸の数が、前記表層を構成する経糸の数の１％以上５０％以下であり、
前記第１の３層袋織部の前記非織層を構成糸が緯糸である場合に、該緯糸の数が、前記表層を構成する緯糸の数の１％以上５０％以下である請求項１に記載のエアベルト。
【請求項３】
前記第２の３層袋織部の前記非織層の構成糸が経糸である場合に、該経糸の数が、前記裏層を構成する経糸の数の１％以上５０％以下であり、
前記第２の３層袋織部の前記非織層を構成糸が緯糸である場合に、該緯糸の数が、前記裏層を構成する緯糸の数の１％以上５０％以下である請求項１に記載のエアベルト。
【請求項４】
前記第１の３層袋織部の前記非織層及び前記第２の３層袋織部の前記非織層がともに経糸によって構成されており、
前記第１の３層袋織部のうちの所定の第１の３層袋織部Ｘ１を構成する前記非織層Ｙ１をなす前記経糸を経糸Ｆ１とし、
前記第１の３層袋織部Ｘ１との間に前記２層袋織部を介して隣り合わされた所定の第２の３層袋織部Ｘ２を構成する前記非織層Ｙ２をなす前記経糸を経糸Ｆ２とした場合に、
前記経糸Ｆ１と経糸Ｆ２とが異なる経糸である請求項１に記載のエアベルト。
【請求項５】
前記第１の３層袋織部の前記非織層及び前記第２の３層袋織部の前記非織層がともに緯糸によって構成されており、
前記第１の３層袋織部のうちの所定の第１の３層袋織部Ｘ１を構成する前記非織層Ｙ１をなす前記緯糸を緯糸Ｆ１とし、
前記第１の３層袋織部Ｘ１との間に前記２層袋織部を介して隣り合わされた所定の第２の３層袋織部Ｘ２を構成する前記非織層Ｙ２をなす前記緯糸を緯糸Ｆ２とした場合に、
前記緯糸Ｆ１と緯糸Ｆ２とが異なる緯糸である請求項１に記載のエアベルト。
【請求項６】
前記袋織部の一面側に接合されたシートベルトウェビングを有する請求項１乃至５のうちのいずれかに記載のエアベルト。
【請求項７】
前記シートベルトウェビングの構成糸に対して、前記袋織部の構成糸は伸度が大きい請求項６に記載のエアベルト。
【発明の詳細な説明】
【技術分野】
【０００１】
本発明は、エアベルトに関する。更に詳しくは、気体の導入によりシートベルト自体が展開して膨張できるエアベルトに関する。
【背景技術】
【０００２】
従来、車両の急制動時や衝突時等の衝撃から乗員を保護するため、車両にはシートベルトが取り付けられている。一般に、シートベルトは、急制動時や衝突時等に、乗員をシート上に拘束し、乗員が車両外へ出てしまうことや、車両内装へ衝突することを防止している。しかしながら、シートベルトを構成するウェビングは、脱着時の操作性と装着感、即ち、脱着時の機能性と装着時の快適性等とを両立させる必要があり、過度に幅広とすることができない。そのため、ウェビングの幅には自ずと制限があり、制動時や衝突時等に、ウェビングによる局部的な荷重が乗員に加わることになる。このようなウェビングによる局部的な荷重を緩和するため、エアバッグ機能を有するシートベルト様のエアベルトが提案され、実用化が図られている。
尚、下記特許文献１には、仕切り部によって嵩高性を抑制することができるエアバッグが開示されている。
【先行技術文献】
【特許文献】
【０００３】
【特許文献１】特開２０１１−２０５２８号公報
【発明の概要】
【発明が解決しようとする課題】
【０００４】
一方、上述のシートベルトとは別に、通常、車両には、フロントエアバッグ、サイドエアバッグ等の各種のエアバッグが配設されている。しかしながら、エアバッグをそのままエアベルトへと転用することは困難である。即ち、前述のように、シートベルトは、種々の要請から幅広化することが難しく、形態を維持しつつ新たな機能を盛り込む必要がある。例えば、エアベルトは、円筒形状に展開させてしまうと、周方向に回転し易くなり、乗員に対する接触位置を安定させることが難しくなるというエアベルトに特有の問題を有する。更に、エアベルトは膨張した袋部に、シートベルトウェビングが食い込んでしまい、Ｖ字形状に折れ曲がることによって乗員に対する緩衝力が小さくなってしまうというエアベルトに特有の問題も有する。
尚、上記特許文献１には、第１外壁部と第２外壁部とに連結され且つ袋体部の内部を複数のセルに区画する仕切部（請求項１）を備え、この仕切部が非製織部を有し（請求項２）、その非製織部をタテ糸及びヨコ糸の一方のみから形成（請求項３）できることが示されている。しかしながら、この仕切部をエアベルトに利用できる可能性や、具体的にどのように利用することにより、どのようにエアベルトを作動させることができるかについては検討されていない。
【０００５】
本発明は、上記実情に鑑みてなされたものであり、エアベルトから乗員へ掛かる負荷を展開により緩和しながら、展開時の拘束位置を安定させやすいエアベルトを提供することを目的とする。更に、別体のシートベルトウェビングを有する場合には、その食い込みを展開時に防止できるエアベルトを提供することを目的とする。
【課題を解決するための手段】
【０００６】
本発明は以下の通りである。
請求項１に記載のエアベルトは、気体導入により膨張可能な袋織部を備えたエアベルトであって、
前記袋織部は、２層袋織部と３層袋織部とが長手方向に交互に配置して構成され、
前記２層袋織部は、実質的に気密な表層と、実質的に気密な裏層と、を有し、
前記３層袋織部のうちの第１の３層袋織部は、前記２層袋織部と共通な前記表層と、前記２層袋織部と共通な前記裏層と、前記表層及び前記裏層の間に配置され、長手方向の一端が前記表層から織り出され、長手方向の他端が前記裏層から織り出された、経糸又は緯糸の一方のみからなる非織層であるとともに、前記一端側に位置する２層袋織部と、前記他端側に位置する２層袋織部との間の気体流通を可能としており、
前記３層袋織部のうちの第２の３層袋織部は、前記２層袋織部と共通な前記表層と、前記２層袋織部と共通な前記裏層と、前記表層及び前記裏層の間に配置され、長手方向の他端が前記表層から織り出され、長手方向の一端が前記裏層から織り出された、経糸又は緯糸の一方のみからなる非織層であるとともに、前記一端側に位置する２層袋織部と、前記他端側に位置する２層袋織部との間の気体流通を可能としており、
前記第１の３層袋織部と前記第２の３層袋織部とは、前記２層袋織部を介して、交互に配置されていることを特徴とすることを要旨とする。
請求項２に記載のエアベルトは、請求項１に記載のエアベルトにおいて、前記第１の３層袋織部の前記非織層の構成糸が経糸である場合に、該経糸の数が、前記表層を構成する経糸の数の１％以上５０％以下であり、
前記第１の３層袋織部の前記非織層を構成糸が緯糸である場合に、該緯糸の数が、前記表層を構成する緯糸の数の１％以上５０％以下であることを要旨とする。
請求項３に記載のエアベルトは、請求項１に記載のエアベルトにおいて、前記第２の３層袋織部の前記非織層の構成糸が経糸である場合に、該経糸の数が、前記裏層を構成する経糸の数の１％以上５０％以下であり、
前記第２の３層袋織部の前記非織層を構成糸が緯糸である場合に、該緯糸の数が、前記裏層を構成する緯糸の数の１％以上５０％以下であることを要旨とする。
請求項４に記載のエアベルトは、請求項１に記載のエアベルトにおいて、前記第１の３層袋織部の前記非織層及び前記第２の３層袋織部の前記非織層がともに経糸によって構成されており、
前記第１の３層袋織部のうちの所定の第１の３層袋織部Ｘ１を構成する前記非織層Ｙ１をなす前記経糸を経糸Ｆ１とし、
前記第１の３層袋織部Ｘ１との間に前記２層袋織部を介して隣り合わされた所定の第２の３層袋織部Ｘ２を構成する前記非織層Ｙ２をなす前記経糸を経糸Ｆ２とした場合に、
前記経糸Ｆ１と経糸Ｆ２とが異なる経糸であることを要旨とする。
請求項５に記載のエアベルトは、請求項１に記載のエアベルトにおいて、前記第１の３層袋織部の前記非織層及び前記第２の３層袋織部の前記非織層がともに緯糸によって構成されており、
前記第１の３層袋織部のうちの所定の第１の３層袋織部Ｘ１を構成する前記非織層Ｙ１をなす前記緯糸を緯糸Ｆ１とし、
前記第１の３層袋織部Ｘ１との間に前記２層袋織部を介して隣り合わされた所定の第２の３層袋織部Ｘ２を構成する前記非織層Ｙ２をなす前記緯糸を緯糸Ｆ２とした場合に、
前記緯糸Ｆ１と緯糸Ｆ２とが異なる緯糸であることを要旨とする。
請求項６に記載のエアベルトは、請求項１に乃至５のうちのいずれかに記載のエアベルトにおいて、前記袋織部の一面側に接合されたシートベルトウェビングを有することを要旨とする。
請求項７に記載のエアベルトは、請求項６に記載のエアベルトにおいて、前記シートベルトウェビングの構成糸に対して、前記袋織部の構成糸は伸度が大きいことを要旨とする。
【発明の効果】
【０００７】
本発明のエアベルトによれば、シートベルト（エアベルト）から乗員へ掛かる負荷を展開・膨張することによって緩和しながら、展開時の拘束位置を安定させやすいエアベルトとすることができる。
具体的には、２層袋織部と３層袋織部とが長手方向に交互に配置して構成され、更に、第１の３層袋織部と第２の３層袋織部とは、２層袋織部を介して、交互に配置されている。このため、結果的に非織層が相対的に向かい合うように斜めに配置されることになり、エアベルトの展開形状に、相対的に向かい合うように連続した屈曲を生じさせることができる。即ち、これにより、膨張により横長形状となった各セルが、着座状態の乗員の長手方向（頭部と脚部とを結ぶ方向）に連続するように展開されることになり、展開時の拘束位置を安定させやすいエアベルトとすることができる。更に、エアベルトの長手方向に対して、交差する方向の剛性を確保でき、広い緩衝域を確保できる。また、連続した屈曲により見掛け厚みが増大され、連続した屈曲を生じない場合に比べて、より少ない展開ガス量で、より短時間での展開を可能とすることができる。
【０００８】
第１の３層袋織部の非織層の構成糸が経糸である場合に、経糸の数が、表層を構成する経糸の数の１％以上５０％以下であり、第１の３層袋織部の非織層を構成糸が緯糸である場合に、緯糸の数が、表層を構成する緯糸の数の１％以上５０％以下である場合には、表層の強度及び気密性を適切に維持しながらも、展開時の非織層への負荷を効果的に分散させることができる。
【０００９】
第２の３層袋織部の非織層の構成糸が経糸である場合に、経糸の数が、裏層を構成する経糸の数の１％以上５０％以下であり、第２の３層袋織部の非織層を構成糸が緯糸である場合に、緯糸の数が、裏層を構成する緯糸の数の１％以上５０％以下である場合には、裏層の強度及び気密性を適切に維持しながらも、展開時の非織層への負荷を効果的に分散させることができる。
【００１０】
第１の３層袋織部の非織層及び第２の３層袋織部の非織層がともに経糸によって構成されており、第１の３層袋織部のうちの所定の第１の３層袋織部Ｘ１を構成する前記非織層Ｙ１をなす経糸を経糸Ｆ１とし、第１の３層袋織部Ｘ１との間に２層袋織部を介して隣り合わされた所定の第２の３層袋織部Ｘ２を構成する非織層Ｙ２をなす経糸を経糸Ｆ２とした場合に、経糸Ｆ１と経糸Ｆ２とが異なる経糸である場合には、非織層を構成するそれぞれの経糸の負担を減らすことができ、全体としての経糸の強度及び耐久性を保持できる。
【００１１】
第１の３層袋織部の非織層及び第２の３層袋織部の非織層がともに緯糸によって構成されており、第１の３層袋織部のうちの所定の第１の３層袋織部Ｘ１を構成する前記非織層Ｙ１をなす緯糸を緯糸Ｆ１とし、第１の３層袋織部Ｘ１との間に２層袋織部を介して隣り合わされた所定の第２の３層袋織部Ｘ２を構成する非織層Ｙ２をなす前記緯糸を緯糸Ｆ２とした場合に、緯糸Ｆ１と緯糸Ｆ２とが異なる緯糸である場合には、非織層を構成するそれぞれの緯糸の負担を減らすことができ、全体としての緯糸の強度及び耐久性を保持できる。
【００１２】
更に、袋織部の一面側にシートベルトウェビングが接合されている場合には、袋織部を構成する構成糸と、シートベルトウェビングを構成する構成糸と、を別個に利用できるため、袋織部における気密性と、シートベルトウェビングにおける強度と、を高度に両立させつつ、袋織部の長手方向に対して交差する方向の剛性を確保して、シートベルトウェビングが袋織部に食い込むことを抑制できる。このため、エアベルトが展開時にＶ字形状に折れ曲がることを防止でき、広い緩衝域を確保することができる。
また、シートベルトウェビングの構成糸に対して、袋織部の構成糸は伸度が大きい場合には、上記の効果をより高めることができる。
【図面の簡単な説明】
【００１３】
【図１】本実施例に係るエアベルトの経糸又は緯糸の構成を示す模式的な説明図である。
【図２】（ａ）本実施例に係るエアベルトの展開前の状態を示す模式的な断面図である。（ｂ）本実施例に係るエアベルトの展開前の状態を示す模式的な断面図である。
【図３】本実施例に係るエアベルトにシートベルトウェビングが接合された状態を示す模式的な構造図である。
【図４】本実施例に係るシートベルトウェビングに接合されたエアベルトを乗員が装着した状態を示す模式的な斜視図である。
【発明を実施するための形態】
【００１４】
ここで示される事項は例示的なものおよび本発明の実施形態を例示的に説明するための
ものであり、本発明の原理と概念的な特徴とを最も有効に且つ難なく理解できる説明であ
ると思われるものを提供する目的で述べたものである。この点で、本発明の根本的な理解
のために必要である程度以上に本発明の構造的な詳細を示すことを意図してはおらず、図
面と合わせた説明によって本発明の幾つかの形態が実際にどのように具現化されるかを当
業者に明らかにするものである。
【００１５】
［１］エアベルト
本エアベルト（１）は、気体導入により膨張可能な袋織部（１０）を備える（図２及び図３参照）。
袋織部（１０）は、２層袋織部（Ａ）と３層袋織部（Ｘ）とが長手方向に交互に配置して構成される（図２参照）。
２層袋織部（Ａ）は、実質的に気密な表層（６０）と、実質的に気密な裏層（７０）と、を有する（図１及び図２参照）。
３層袋織部（Ｘ）のうちの第１の３層袋織部（Ｘ１）は、２層袋織部（Ａ）と共通な表層（６０）と、２層袋織部（Ａ）と共通な裏層（７０）と、非織層（Ｙ１）と、を有する。このうち、非織層（Ｙ１）は、表層（６０）及び裏層（７０）の間に配置され、長手方向の一端（Ｙ１Ｌ）が表層（６０）から織り出され、長手方向の他端（Ｙ１Ｒ）が裏層（７０）から織り出された、経糸又は緯糸の一方のみからなる層である。更に、この非織層（Ｙ１）は、一端（Ｙ１Ｌ）側に位置する２層袋織部（Ａ）と、他端（Ｙ１Ｒ）側に位置する２層袋織部（Ａ）との間の気体流通を可能としている（図１参照）。
３層袋織部（Ｘ）のうちの第２の３層袋織部（Ｘ２）は、２層袋織部（Ａ）と共通な表層（６０）と、２層袋織部（Ａ）と共通な裏層（７０）と、非織層（Ｙ２）と、を有する。このうち、非織層（Ｙ２）は、表層（６０）及び裏層（７０）の間に配置され、長手方向の他端（Ｙ２Ｒ）が表層（６０）から織り出され、長手方向の一端（Ｙ２Ｌ）が裏層（７０）から織り出された、経糸又は緯糸の一方のみからなる層である。更に、この非織層（Ｙ２）は、一端（Ｙ２Ｌ）側に位置する２層袋織部（Ａ）と、他端（Ｙ２Ｒ）側に位置する２層袋織部（Ａ）との間の気体流通を可能としている（図１参照）。
そして、第１の３層袋織部（Ｘ１）と、第２の３層袋織部（Ｘ２）とは、２層袋織部（Ａ）を介して、交互に配置されていることを特徴とする（図１及び図２参照）。
【００１６】
尚、図１では、経糸及び緯糸のうちの一方の構成糸のみを表現し、他方の構成糸の記載を省略している。このため、以下の説明では、図１に基づいて説明する際に、非織部Ｙを構成する構成糸を経糸Ｆとして説明するが、非織層Ｙを緯糸Ｆで形成した形態として、そのまま読み換えることもできる。
【００１７】
この構成によれば、乗員へ掛かる負荷を、エアベルト１が展開・膨張することによって緩和できるとともに、展開時の拘束位置を安定させやすくすることができる。
即ち、２層袋織部Ａと３層袋織部Ｘとが長手方向に交互に配置して構成され、更に、第１の３層袋織部Ｘ１と第２の３層袋織部Ｘ２とは、２層袋織部Ａを介して、交互に配置されている。このため、結果的に非織層Ｙ１とＹ２とが向かい合うように配置される。これにより、エアベルト１が展開・膨張されると、例えば、第１の３層袋織部Ｘ１をなす表層６０と、２層袋織部Ａをなす表層６０と、第２の３層袋織部Ｘ２をなす表層６０と、が並んで配置された合計長さに対して、対向される２層袋織部Ａをなす裏層７０の長さが短くなる。同様に、第２の３層袋織部Ｘ２をなす裏層７０と、２層袋織部Ａをなす裏層７０と、第１の３層袋織部Ｘ１をなす裏層７０と、が並んで配置された合計長さに対して、対向される２層袋織部Ａをなす表層６０の長さが短くなる。このように、展開・膨張された際に、長さの異なる領域が対向して交互に配置されるために、向かい合うように連続した屈曲を生じさせることができる（図１及び図２参照）。また、この連続した屈曲により見掛け厚みが増大され、連続した屈曲を生じない場合に比べて、より少ない展開ガス量で、より短時間での展開を可能とすることができる。
【００１８】
本エアベルト１では、非織層Ｙ１が経糸Ｆ１から構成される。経糸Ｆ１は、長手方向の一端Ｙ１Ｌが表層６０から織り出され、長手方向の他端Ｙ１Ｒが裏層７０から織り出されている（図１参照）。尚、図１では、経糸Ｆ１は、説明の都合上、１本のみで表しているが、図示しない奥行方向に多数本の経糸Ｆ１が存在して非織層Ｙ１を形成している。
同様に、本エアベルト１では、非織層Ｙ２も経糸Ｆ２から構成される。経糸Ｆ２は、長手方向の一端Ｙ２Ｌが裏層７０から織り出され、長手方向の他端Ｙ２Ｒが表層６０から織り出されている（図１参照）。尚、図１では、経糸Ｆ２は、説明の都合上、１本のみで表しているが、図示しない奥行方向に多数本の経糸Ｆ２が存在して非織層Ｙ２を形成している。
【００１９】
本エアベルトでは、このように、３層袋織部Ｘの中間層を非織層Ｙとすることで、膨張時の表層６０と裏層７０との間隔を拘束し、表層６０と裏層７０との離間距離を自在に設計できるようになる。その一方で、非織層Ｙは、気体流通が可能（表層６０及び裏層７０に比べて通気量を多くできる）であるため、展開・膨張時に、基体を通過させることが可能になる。即ち、本エアベルトの長手方向へ基体を流通させて、展開・膨張を可能しながら、表層６０と裏層７０との離間距離を設計できる。
【００２０】
非織層Ｙ１の長手方向の長さＬＹ１（即ち、Ｙ１ＬからＹ１Ｒまでの距離）、及び、非織層Ｙ２の長手方向の長さＬＹ２（即ち、Ｙ２ＬからＹ２Ｒまでの距離）は、各々限定されないものの、通常、複数の非織層Ｙ１の長さＬＹ１同士は互いに同じ長さであることが好ましく、複数の非織層Ｙ２の長さＬＹ２同士も互いに同じ長さであることが好ましい。更に、長さＬＹ１と長さＬＹ１とを比較した場合、ＬＹ１＜ＬＹ２であってもよいし、ＬＹ１＞ＬＹ２であってもよいが、ＬＹ１＝ＬＹ２であることが好ましい。
また、２層袋織部Ａの長手方向の長さＬＡも限定されないが、例えば、ＬＡ≦ＬＹ１且つＬＡ≦ＬＹ２とすることができる。即ち、本エアベルト１では、ＬＹ１＝ＬＹ２、ＬＡ≦ＬＹ１且つＬＡ≦ＬＹ２とすることができる。この場合には、図３に示す形態の展開・膨張された形状を確実に得ることができる。より具体的には、０．１≦ＬＹ１／ＬＡ≦２とすることが好ましく、０．５≦ＬＹ１／ＬＡ≦１．５とすることがより好ましく、０．８≦ＬＹ１／ＬＡ≦１．２とすることが特に好ましい。同様に、０．１≦ＬＹ２／ＬＡ≦２とすることが好ましく、１．５≦ＬＹ２／ＬＡ≦１．５とすることがより好ましく、０．８≦ＬＹ２／ＬＡ≦１．２とすることが特に好ましい。
【００２１】
更に、エアベルト１の幅（長手方向と直行した方向の長さ）をＬＷとした場合、非織層Ｙ１の長さＬＹ１及び非織層Ｙ２の長さＬＹ２との長さの相関は限定されないが、本エアベルト１では、ＬＷ＞ＬＹ１且つＬＷ＞ＬＹ２であることが好ましい。これにより、膨張した際に、横長形状とすることができ、膨張された各セルが着座状態の乗員の長手方向（頭部と脚部とを結ぶ方向）に連続するように展開され、展開時の拘束位置を安定させやすい。更に、エアベルトの長手方向に対して、交差する方向の剛性を確保でき、広い緩衝域を確保できる。より具体的には、０．５≦ＬＷ／ＬＹ１≦５．５とすることが好ましく、１．５≦ＬＷ／ＬＹ１≦４．５とすることがより好ましく、２．５≦ＬＷ／ＬＹ１≦３．５とすることが特に好ましい。同様に、０．５≦ＬＷ／ＬＹ２≦５．５とすることが好ましく、１．５≦ＬＷ／ＬＹ２≦４．５とすることがより好ましく、２．５≦ＬＷ／ＬＹ２≦３．５とすることが特に好ましい。
【００２２】
経糸Ｆ１の数は特に限定はないが、表層６０を構成する経糸の数の１％以上５０％以下であることが好ましく、３％以上４０％以下であることが更に好ましく、５％以上３０％以下であることが特に好ましい。
第１の３層袋織部Ｘ１の非織層Ｙ１を構成糸が緯糸である場合においても、緯糸の数は特に限定はないが、表層６０を構成する緯糸の数の１％以上５０％以下であることが好ましく、３％以上４０％以下であることが更に好ましく、５％以上３０％以下であることが特に好ましい。
【００２３】
第２の３層袋織部Ｘ２の非織層Ｙ２の構成糸が経糸である場合においても、経糸の数は特に限定はないが、裏層７０を構成する経糸の数の１％以上５０％以下であることが好ましく、３％以上４０％以下であることが更に好ましく、５％以上３０％以下であることが特に好ましい。
第２の第２の３層袋織部Ｘ２の非織層Ｙ２の構成糸が緯糸である場合においても、緯糸の数は特に限定はないが、裏層７０を構成する緯糸の数の１％以上５０％以下であることが好ましく、３％以上４０％以下であることが更に好ましく、５％以上３０％以下であることが特に好ましい。
【００２４】
また、第１の３層袋織部Ｘ１との間に２層袋織部を介して隣り合わされた所定の第２の３層袋織部Ｘ２を構成する非織層Ｙ２をなす経糸を、経糸Ｆ２とした場合に、経糸Ｆ１と経糸Ｆ２とが異なる経糸であることが好ましい。即ち、図１に示すように、左から最初の第１の３層袋織部Ｘ１の非織層Ｙ１の構成糸は、経糸Ｆ１であり、長手方向の一端Ｙ１Ｌが表層６０から織り出され、長手方向の他端Ｙ１Ｒが裏層７０から織り出されている。
上記の非織層Ｙ１に隣接する第２の３層袋織部Ｘ２の非織層Ｙ２の構成糸は、経糸Ｆ２であり、長手方向の他端Ｙ２Ｒが表層６０から織り出され、長手方向の一端Ｙ２Ｌが裏層７０から織り出されているが、経糸Ｆ１とは別の経糸を用いている。
更に、上記の非織層Ｙ２に隣接する第１の３層袋織部Ｘ１の非織層Ｙ１の構成糸は、経糸Ｆ１であり、上記最初の第１の３層袋織部Ｘ１の非織層Ｙ１の経糸Ｆ１、及び、次の隣接する非織層Ｙ２の構成糸である経糸Ｆ２とも異なる経糸を用いている。
同様に、更に次の隣接する非織層Ｙ１の構成糸は、経糸Ｆ１も、上記の３本の糸のいずれとも異なる糸を用いている。
更に同様な順を繰り返すことで、非織層を構成する経糸を万遍なく使用することができ、それぞれの経糸の負担を減らすことができる。こうすることで、全体としての経糸の強度及び耐久性を保持できる。
【００２５】
以上、非織層Ｙ１、非織層Ｙ２が経糸のみで構成されている場合について説明したが、緯糸のみで構成されている場合であっても全く同様の作用効果が得られる。
【００２６】
エアベルトは、例えば、車両衝突時等に、インフレータから供給される気体により、展開・膨張されて、エアベルトから乗員へ掛かる負荷を緩和することができるものである。
本発明の実施形態に係るエアベルト１は、図３及び図４に示すように、気体導入により膨張可能な袋織部１０を備えている。エアベルト１は、袋織部１０のみから構成されてもよいが、シートベルトウェビング２０を伴ってもよい。シートベルトウェビング２０を伴う場合には、一体に製織されていてもよいし、別体に接合されていてもよい。更に、通常、袋織部１０とシートベルトウェビング２０とは、乗員に対してより近い側に袋織部１０が位置される。
【００２７】
袋織部１０は、図１及び図２（ａ）に示すように、２層袋織部Ａと３層袋織部Ｘ（Ｘ１、Ｘ２）とが長手方向に交互に配置して構成されている。
上記「袋織部（１０）」は、２層袋織部Ａにより袋状に形成されていれば、その形状、大きさは特に限定はない。通常、本エアベルト１により保護される乗員の身体の部位に応じて適宜選定され得るが、例えば、乗員の肩部から腹部に掛けての必要箇所に配置できる。
【００２８】
［２］シートベルトウェビング付きのエアベルト
図３に示すように、エアベルト１には、袋織部１０の一面側にシートベルトウェビング２０が接合することができる。こうすることで、シートベルトウェビングの乗員に対する高い拘束効果を保持しつつ、袋織部の衝撃吸収力を得ることで、安全性に対する相乗効果が期待できる。
この接合方法は特に限定されず、接着剤による接着、縫合などによることができる。
また、シートベルトウェビング２０の構成糸に対して、袋織部１０の構成糸は伸度が大きいことが好ましい。
【００２９】
［３］動作について
図２（ａ）に示すように、袋織部１０を構成する各セル１１、１２、１３、１４、１５は、衝突時による衝撃を受けると、気体が２層袋織部６０、７０間に膨張用ガスが流入され、非織層を通過して、全体が膨張し、図２（ｂ）に示すように、それぞれ屈曲した状態が連続し扁平状に形成される。
最初の左のセル１１は、膨張により、表層６０の２層袋織部（Ａ）が頂点となり、非織層（Ｙ２）、（Ｙ１）が両側面をなし、裏層７０の２層袋織部（Ａ）及び裏層７０のうちの３層袋織部（Ｘ２）と３層袋織部（Ｘ１）に起因して形成される部分が底面となる断面略三角形状に形成される。
次のセル１２は、膨張により、裏層７０の２層袋織部（Ａ）が頂点となり、非織層（Ｙ１）、（Ｙ２）が両側面をなし、表層６０の２層袋織部（Ａ）及び表層６０のうちの３層袋織部（Ｘ１）と３層袋織部（Ｘ２）に起因して形成される部分が底面となる断面略逆三角形状に形成される。
次のセル１３は、膨張により、表層６０の２層袋織部（Ａ）が頂点となり、非織層（Ｙ２）、（Ｙ１）が両側面をなし、裏層７０の２層袋織部（Ａ）及び裏層７０のうちの３層袋織部（Ｘ２）と３層袋織部（Ｘ１）に起因して形成される部分が底面となる断面略三角形状に形成される。
次のセル１４は、膨張により、裏層７０の２層袋織部（Ａ）が頂点となり、非織層（Ｙ１）、（Ｙ２）が両側面をなし、表層６０の２層袋織部（Ａ）及び表層６０のうちの３層袋織部（Ｘ１）と３層袋織部（Ｘ２）に起因して形成される部分が底面となる断面略逆三角形状に形成される。
次のセル１５は、膨張により、表層６０の２層袋織部（Ａ）が頂点となり、非織層（Ｙ２）、（Ｙ１）が両側面をなし、裏層７０の２層袋織部（Ａ）及び裏層７０のうちの３層袋織部（Ｘ２）と３層袋織部（Ｘ１）に起因して形成される部分が底面となる断面略三角形状に形成される。
【００３０】
尚、前述の記載は単に説明を目的とするものでしかなく、本発明を限定するものと解釈されるものではない。本発明を典型的な実施態様を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３１】
本発明は、車両用のエアベルトの技術分野において利用することができる。特にウェビングの長さ方向の、装着したときに肩から胸部にかけて位置することになる部分に、衝突時等に膨張展開するエアベルトが内装され、保護することができるエアベルトの技術分野において好適に利用することができる。
【符号の説明】
【００３２】
１；エアベルト、
１０；袋織部、
１１、１２、１３、１４、１５；セル、
２０；シートベルトウェビング、
６０；表層、
７０；裏層、
Ａ；２層袋織部、
Ｆ１；非織層Ｙ１の構成糸（経糸・緯糸）、
Ｆ２；非織層Ｙ２の構成糸（経糸・緯糸）、
Ｘ１；第１の３層袋織部、
Ｘ２；第２の３層袋織部、
Ｙ１、Ｙ２；非織層、
Ｙ１Ｌ；非織層Ｙ１を構成する構成糸の一端、
Ｙ１Ｒ；非織層Ｙ１を構成する構成糸の他端、
Ｙ２Ｌ；非織層Ｙ２を構成する構成糸の一端、
Ｙ２Ｒ；非織層Ｙ２を構成する構成糸の他端。
【図１】
2018177038.tif 000003
【図２】
2018177038.tif 000004
【図３】
2018177038.tif 000005
【図４】
2018177038.tif 000006